(57)【特許請求の範囲】
【請求項１】
四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入される長孔状の取付片挿入溝と、前記印刷版フレームの一方の縦枠辺および横枠辺に形成された取付片挿入溝と連通するように内側部位に形成された長孔状のロック装置挿入溝と、このロック装置挿入溝の内側壁面にそれぞれ取付けられた外側面にクサビ状あるいはノコ歯状の噛み合い片を有する固定部材、この固定部材の噛み合い片とそれぞれ噛み合う逆クサビ状あるいは逆ノコ歯状の噛み合い片が形成され、前記ロック装置挿入溝内をスライド移動させることにより、外側面が前記取付片挿入溝内に挿入されたメタルマスクの取付片を押し圧固定することができるスライド固定部材およびこのスライド固定部材をそれぞれ所定位置までスライド移動させて固定するスライド固定部材固定機構とからなるロック装置を備えることを特徴とするメタルマスク印刷版。
【請求項２】
四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入される長孔状の取付片挿入溝と、前記印刷版フレームの一方の縦枠辺および横枠辺に形成された取付片挿入溝と連通するように内側部位に形成された長孔状のロック装置挿入溝と、このロック装置挿入溝の内側壁面にそれぞれ位置調整可能に取付けられた外側面にクサビ状あるいはノコ歯状の噛み合い片を有する固定部材、この固定部材の噛み合い片とそれぞれ噛み合う逆クサビ状あるいは逆ノコ歯状の噛み合い片が形成された前記ロック装置挿入溝内をスライド移動させることにより、外側面が前記取付片挿入溝内に挿入されたメタルマスクの取付片を押し圧固定することができるスライド固定部材およびこのスライド固定部材をそれぞれ所定位置までスライド移動させて固定するスライド固定部材固定機構とからなるロック装置とを備えることをことを特徴とするメタルマスク印刷版。
【請求項３】
四角枠状に形成された印刷版フレームと、この印刷版フレームに着脱可能に取付けられる外周辺をほぼ直角に折り曲げ形成され、先端部にカバー片が取付けられた取付片を有する印刷パターンが形成されたメタルマスクと、前記印刷版フレームの各枠辺に形成された前記メタルマスクの取付片が挿入される長孔状の取付片挿入溝と、前記印刷版フレームの縦枠辺および横枠辺に形成された取付片挿入溝とそれぞれ連通するように内側部位に形成された長孔状のロック装置挿入溝と、このロック装置挿入溝の内側壁面にそれぞれ取付けられた外側面にクサビ状あるいはノコ歯状の噛み合い片を有する固定部材、この固定部材の噛み合い片とそれぞれ噛み合う逆クサビ状あるいは逆ノコ歯状の噛み合い片が形成され、前記ロック装置挿入溝内をスライド移動させることにより、外側面が前記取付片挿入溝内に挿入されたメタルマスクの取付片を押し圧固定することができるスライド固定部材およびこのスライド固定部材をそれぞれ所定位置までスライド移動させて固定するスライド固定部材固定機構とからなるロック装置を備えることを特徴とするメタルマスク印刷版。
【発明の詳細な説明】
【０００１】
【発明の属する技術分野】
本発明は高寸法精度の印刷に使用されるメタルマスク印刷版に関する。
【０００２】
【従来の技術】
従来のメタルマスク印刷版はメタルマスクに弾性力がないため、印刷版フレームに紗を取付けたスクリーン印刷版本体を用いて、紗のほぼ中央部に印刷パターンが形成されたメタルマスクを接着剤によって接着固定し、しかる後、メタルマスク部位の紗を除去し、メタルマスクの外周部の紗に感光乳剤を塗布して露光し、紗の孔埋めを行なって形成している。
【０００３】
【発明が解決しようとする課題】
従来のメタルマスク印刷版はメタルマスクを印刷版フレームに取付ける作業が大変で手数がかかり、コスト高になるという欠点があるとともに、メタルマスクを印刷版フレームに取付けた状態でメタルマスク版の製造メーカーから印刷メーカーへ輸送しなければならず、輸送作業に手数がかかるとともに、輸送コストが高くなるという欠点があった。
【０００４】
本発明は以上のような従来の欠点に鑑み、メタルマスクを印刷版フレームに取付けるだけで、メタルマスクに弾性力を付与した状態で、簡単に短時間に取付けることができ、印刷メーカーにはメタルマスクだけを輸送することができる、製造、取付けおよび輸送が容易で、低コストで行なうことができるメタルマスク印刷版およびメタルマスクを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入される長孔状の取付片挿入溝と、前記印刷版フレームの一方の縦枠辺および横枠辺に形成された取付片挿入溝と連通するように内側部位に形成された長孔状のロック装置挿入溝と、このロック装置挿入溝の内側壁面にそれぞれ取付けられた外側面にクサビ状あるいはノコ歯状の噛み合い片を有する固定部材、この固定部材の噛み合い片とそれぞれ噛み合う逆クサビ状あるいは逆ノコ歯状の噛み合い片が形成され、前記ロック装置挿入溝内をスライド移動させることにより、外側面が前記取付け片挿入溝内に挿入されたメタルマスクの取付片を押し圧固定することができるスライド固定部材およびこのスライド固定部材をそれぞれ所定位置までスライド移動させて固定するスライド固定部材固定機構とからなるロック装置とでメタルマスク印刷版を構成している。
【０００７】
【発明の実施の形態】
以下、図面に示す実施の形態により、本発明を詳細に説明する。
【０００８】
図１ないし図１１に示す本発明の第１の実施の形態において、１は本発明のメタルマスク印刷版で、このメタルマスク印刷版１は印刷版フレーム２と、この印刷版フレーム２に着脱可能に取付けられるメタルマスク３と、前記印刷版フレーム２に前記メタルマスク３を着脱可能に取付けるロック装置４、４とで構成されている。
【０００９】
前記印刷版フレーム２は図３に示すように、アルミ、アルミ合金等の金属材で各枠辺が断面長方形状の四角枠状に形成された印刷版フレーム本体５と、この印刷版フレーム本体５の各枠辺に形成された長溝状の取付片挿入溝６、６、６、６と、前記印刷版フレーム本体５の一方の縦枠辺５ａおよび横枠辺５ｂに形成された前記取付片挿入溝６、６と連通するように内側部位に形成された長溝状のロック装置挿入溝７、７とで構成されている。
【００１０】
前記メタルマスク３は図４および図５に示すように、ステンレス材等で形成され、印刷パターン８が形成され四角が除去されたほぼ四角平板形状のメタルマスク本体９と、このメタルマスク本体９の外周辺をほぼ直角に折り曲げ形成された取付片１０、１０、１０、１０と、この取付片１０、１０、１０、１０にそれぞれ所定間隔で形成された複数個のビス挿入孔１１と、前記メタルマスク本体９の取付片１０、１０、１０、１０の両側面にそれぞれ複数本の皿ビス１２で固定された前記印刷版フレーム２の取付片挿入溝６、６、６、６に挿入される２枚の板材１３、１３を用いたカバー片１４、１４、１４、１４とで構成されている。
【００１１】
前記ロック装置４、４は図６および図７に示すように、前記ロック装置挿入溝７、７内の内側壁面７ａに位置調整可能に取付けられる外側面に２個のクサビ状あるいはノコ歯状の噛み合い片１５が形成された固定部材１６と、この固定部材１６に形成された位置調整可能な固定ボルト１７が挿入されるボルト挿入長孔１８、１８、１８、１８と、前記固定部材１６の端部を押し付けて位置調整可能にスライド移動させる前記印刷版フレーム２に螺合された調整ボルト１９と、前記固定部材１６の噛み合い片１５と噛み合う逆クサビ状あるいは逆ノコ歯状の噛み合い片２０が形成された前記ロック装置挿入溝７内をスライド移動させることにより、外側面２１ａが前記取付片挿入溝６内に挿入されたメタルマスク３の取付片１０を押し圧固定することができるスライド固定部材２１と、このスライド固定部材２１の端部を押し付け、スライド移動させることができるスライド固定部材固定機構２２としての前記印刷版フレーム２に螺合された固定ボルト２３とで構成されている。
【００１２】
上記構成のメタルマスク印刷版１は図８に示すように、印刷版フレーム２を裏返し状態でテーブル２４上に位置させる。この状態で、使用するメタルマスク３を裏返しして、図９に示すように取付片１０、１０、１０、１０を取付片挿入溝６、６、６、６内に挿入する。
【００１３】
次に、図１０に示すようにスライド固定部材固定機構２２、２２としての固定ボルト２３、２３を螺締めすることにより、スライド固定部材２１、２１が固定部材１６、１６の噛み合い片１５、１５上をスライド移動して取付片挿入溝６、６内に挿入されたメタルマスク３の取付片１０、１０を押し圧固定する。この状態で、メタルマスク３は四方に所定の引張力で引張られた状態となり、印刷機にセットして使用できる状態となる。
【００１４】
なお、固定部材１６、１６の位置を固定ボルト１７や調整ボルト１９、１９を操作して調整することによって、スライド固定部材２１、２１のスライド移動量に対する外方への移動位置を任意に設定することができる。
【００１５】
【発明の異なる実施の形態】
次に、図１２ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１２ないし図１４に示す本発明の第２の実施の形態において、前記本発明の第１の実施の形態と主に異なる点はメタルマスク３Ａで、このメタルマスク３Ａは取付片１０、１０、１０、１０に複数個の挿入孔１１Ａに係止する突起部２５が内壁面に形成されたＵ字状のカバー片１４Ａ、１４Ａ、１４Ａ、１４Ａを用いている。このように形成されたメタルマスク３Ａを用いたメタルマスク印刷版１Ａにしても、前記本発明の第１の実施の形態と同様な作用効果が得られる。
【００１７】
図１５ないし図１７に示す本発明の第３の実施の形態において、前記本発明の第１の実施の形態と主に異なる点はメタルマスク３Ｂで、このメタルマスク３Ｂは取付片１０Ａ、１０Ａ、１０Ａ、１０Ａの先端部を巻き締め状態に折りたたみ、先端部を内部に位置させ、取扱い時に怪我をしないように形成している。このように形成されたメタルマスク３Ｂを用いたメタルマスク印刷版１Ｂにしても、前記本発明の第１の実施の形態と同様な作用効果が得られる。
【００１８】
図１８ないし図２０に示す本発明の第４の実施の形態において、前記本発明の第１の実施の形態と主に異なる点は、固定部材１６、１６を印刷版フレーム２に溶接、接着剤、ボルト、本実施の形態では複数本の固定ボルト１７によって固定的に取付けた点で、このように固定部材１６、１６を取付けたメタルマスク印刷版１Ｃにしても、前記本発明の第１の実施の形態と同様な作用効果が得られる。
【００１９】
図２１ないし図２３に示す本発明の第５の実施の形態において、前記本発明の第１の実施の形態と主に異なる点は、各枠辺にロック装置挿入溝７、７、７、７を形成した印刷版フレーム２Ａを用いるとともに、該ロック装置挿入溝７、７、７、７内にそれぞれロック装置４、４、４、４を設置した点で、このように構成したメタルマスク印刷版１Ｄにしても、前記本発明の第５の実施の形態と同様な作用効果が得られる。
【００２０】
図２４ないし図２６に示す本発明の第６の実施の形態において、前記本発明の第１の実施の形態と主に異なる点は、クサビ状あるいはノコ歯状の噛み合い片１５、１５が分離された固定部材１６Ａと、スライド固定部材２１に噛み合い片２０の傾斜面と平行に形成したねじ孔２６と、このねじ孔２６と螺合するとともに、印刷版フレーム２に軸心方向に移動不能で回転可能に取付けられた固定ボルト２３Ａとからなるスライド固定部材固定機構２２Ａを用いた点で、このように形成されたスライド固定部材固定機構２２Ａを用いて構成したメタルマスク印刷版１Ｅにしても、前記本発明の第１の実施の形態と同様な作用効果が得られる。
なお、前記本発明の各実施の形態ではメタルマスクの取付片にカバーを設置したり、折りたたんだものについて説明したが、本発明はこれに限らず、ほぼ直角に折り曲げた取付片を用いてもよい。
【００２１】
【発明の効果】
以上の説明から明らかなように、本発明にあっては次に列挙する効果が得られる。
【００２２】
（１）四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入される長孔状の取付片挿入溝と、前記印刷版フレームの一方の縦枠辺および横枠辺に形成された取付片挿入溝と連通するように内側部位に形成された長孔状のロック装置挿入溝と、このロック装置挿入溝の内側壁面にそれぞれ取付けられた外側面にクサビ状あるいはノコ歯状の噛み合い片を有する固定部材、この固定部材の噛み合い片とそれぞれ噛み合う逆クサビ状あるいは逆ノコ歯状の噛み合い片が形成され、前記ロック装置挿入溝内をスライド移動させることにより、外側面が前記取付片挿入溝内に挿入されたメタルマスクの取付片を押し圧固定することができるスライド固定部材およびこのスライド固定部材をそれぞれ所定位置までスライド移動させて固定するスライド固定部材固定機構とからなるロック装置とで構成されているので、メタルマスクを容易に引張り状態で印刷版フレームに取付けて使用することができる。
したがって、メタルマスクの印刷版フレームへの取付け、取り外しが容易で、気軽に行なうことができる。
【００２３】
（２）前記（１）によって、メタルマスクの印刷版フレームの着脱を印刷現場でできるので、メタルマスク印刷版を製造するメーカーはメタルマスクだけ製造して印刷メーカーへ届けるだけでよく、従来のように重くてかさばる印刷版フレームにメタルマスクを取付けて輸送することなく、輸送コストの低減を図ることができる。
【００２４】
（３）前記（１）によって、スライド固定部材をスライド移動させるだけでメタルマスクの一辺の取付片の全体を押し圧固定でき、楽に短時間に固定できる。
【００２５】
（４）前記（１）によって、メタルマスクは外周辺をほぼ直角に折り曲げたものでよいので、容易に高寸法に形成することができる。
【００２６】
（５）請求項２、３も前記（１）〜（４）と同様な効果が得られる。
【図面の簡単な説明】
【図１】本発明の第１の実施の形態の底面を上面にした分解斜視図。
【図２】本発明の第１の実施の形態の底面を上面にした斜視図。
【図３】図２の３−３線に沿う中間部を省略した拡大断面図。
【図４】本発明の第１の実施の形態の印刷版フレームの説明図。
【図５】本発明の第１の実施の形態のメタルマスクの斜視図。
【図６】本発明の第１の実施の形態のメタルマスクの断面図。
【図７】本発明の第１の実施の形態のロック装置の分解図。
【図８】本発明の第１の実施の形態のロック装置の取付状態の説明図。
【図９】取付状態の印刷版フレームの設置状態の説明図。
【図１０】メタルマスクの取付け状態の説明図。
【図１１】メタルマスクの固定状態の説明図。
【図１２】本発明の第２の実施の形態の底面を上面にした斜視図。
【図１３】本発明の第２の実施の形態のメタルマスクの斜視図。
【図１４】本発明の第２の実施の形態のメタルマスクの断面図。
【図１５】本発明の第３の実施の形態の底面を上面にした斜視図。
【図１６】本発明の第３の実施の形態のメタルマスクの斜視図。
【図１７】本発明の第３の実施の形態のメタルマスクの断面図。
【図１８】本発明の第４の実施の形態の底面を上面にした斜視図。
【図１９】本発明の第４の実施の形態のロック装置の分解図。
【図２０】本発明の第４の実施の形態のロック装置の取付状態の説明図。
【図２１】本発明の第５の実施の形態の底面を上面にした分解斜視図。
【図２２】本発明の第５の実施の形態の底面を上面にした斜視図。
【図２３】本発明の第５の実施の形態の印刷版フレームの平面図。
【図２４】本発明の第６の実施の形態の底面を上面にした分解斜視図。
【図２５】本発明の第６の実施の形態の底面を上面にした斜視図。
【図２６】本発明の第６の実施の形態のロック装置の取付状態の説明図。
【符号の説明】
１、１Ａ〜１Ｅ：メタルマスク印刷版、
２、２Ａ：印刷版フレーム、
３、３Ａ、３Ｂ：メタルマスク、
４：ロック装置、          ５：印刷版フレーム本体、
６：取付片挿入溝、        ７：ロック装置挿入溝、
８：印刷パターン、        ９：メタルマスク本体、
１０、１０Ａ：取付片、  １１：ビス挿入孔、
１２：皿ビス、          １３：板材、
１４、１４Ａ：カバー片、１５：噛み合い片、
１６：固定部材、        １７：固定ボルト、
１８：ボルト挿入長孔、  １９：調整ボルト、
２０：噛み合い片、      ２１：スライド固定部材、
２２、２２Ａ：スライド固定部材固定機構、
２３、２３Ａ：固定ボルト、
２４：テーブル、        ２５：突起部、
２６：ねじ孔。
【図１】
0003703121.tif 000002
【図２】
0003703121.tif 000003
【図３】
0003703121.tif 000004
【図４】
0003703121.tif 000005
【図５】
0003703121.tif 000006
【図６】
0003703121.tif 000007
【図７】
0003703121.tif 000008
【図８】
0003703121.tif 000009
【図９】
0003703121.tif 000010
【図１０】
0003703121.tif 000011
【図１１】
0003703121.tif 000012
【図１２】
0003703121.tif 000013
【図１３】
0003703121.tif 000014
【図１４】
0003703121.tif 000015
【図１５】
0003703121.tif 000016
【図１６】
0003703121.tif 000017
【図１７】
0003703121.tif 000018
【図１８】
0003703121.tif 000019
【図１９】
0003703121.tif 000020
【図２０】
0003703121.tif 000021
【図２１】
0003703121.tif 000022
【図２２】
0003703121.tif 000023
【図２３】
0003703121.tif 000024
【図２４】
0003703121.tif 000025
【図２５】
0003703121.tif 000026
【図２６】
0003703121.tif 000027